(57)【要約】  バイメタル熱機械アクチュエータ（１０）は、複数のバイメタル構造（１２）を備える多層バイメタル構造（２２）を有している。各バイメタル構造（１２）は、結合境界面（１８）に沿って結合された、一対の金属、すなわち構造金属（１４）および駆動金属（１６）を有し、金属の対は１つの層を形成している。金属の各対の間に、滑り境界面（２０）が存在する。多層バイメタル構造（２２）は、少なくとも１つの円弧を持つ形状を有する。多層バイメタル構造（２２）は、第１端部（２４）および第２端部（２６）と、内縁（４０）および内側半径（４２）と、外縁（４４）および外側半径（４６）とを有する。第１ピボットヘッド（２８）は第１端部（２４）に接続されており、第２ピボットヘッド（３４）は多層バイメタル構造（２２）の第２端部（２６）に接続されている。各ピボットヘッドは、ほぼ中央に配置された貫通孔（３０）を有する。多層バイメタル構造（２２）は、温度の変化に伴い膨張および収縮する。
2019534978.tif 000002
【特許請求の範囲】
【請求項１】
バイメタル熱機械アクチュエータ（１０）であって、
複数のバイメタル構造（１２）を含む多層バイメタル構造（２２）を備え、各バイメタル構造（１２）は、結合境界面（１８）に沿って互いに結合された、一対の金属、すなわち構造金属（１４）および駆動金属（１６）を有し、金属の対は１つの層を形成しており、金属の各対の間には滑り境界面（２０）が存在し、前記多層バイメタル構造（２２）は、該多層バイメタル構造（２２）の全長の両端における第１端部（２４）および第２端部（２６）と、内縁（４０）および内側半径（４２）と、外縁（４４）および外側半径（４６）と、を有する少なくとも１つの円弧を持つ形状を有しており、
前記第１端部（２４）に接続された第１ピボットヘッド（２８）と、前記多層バイメタル構造（２２）の前記第２端部（２６）に接続された第２ピボットヘッド（３４）とを備え、各ピボットヘッドは、各ピボットヘッドのほぼ中央に配置された貫通孔（３０）を有しており、
前記多層バイメタル構造（２２）は、温度の変化に伴い膨張および収縮する、
バイメタル熱機械アクチュエータ（１０）。
【請求項２】
各バイメタル構造（１２）は、前記多層バイメタル構造（２２）内の他のバイメタル構造（１２）と比較して厚さ（３６）が異なる、請求項１に記載のバイメタル熱機械アクチュエータ（１０）。
【請求項３】
前記多層バイメタル構造（２２）は、ほぼ半円形に曲げられている、請求項１または請求項２に記載のバイメタル熱機械アクチュエータ（１０）。
【請求項４】
前記多層バイメタル構造（２２）は、複数の曲線を有する形状に曲げられている、請求項１または請求項２に記載のバイメタル熱機械アクチュエータ（１０）。
【請求項５】
前記多層バイメタル構造（２２）は、複数方向に曲げられている、請求項１または請求項２に記載のバイメタル熱機械アクチュエータ（１０）。
【請求項６】
前記多層バイメタル構造（２２）に取り付けられた加熱／冷却エレメント（３２）をさらに備える、請求項１から５までのいずれか一項に記載のバイメタル熱機械アクチュエータ（１０）。
【請求項７】
クリアランス距離を調節する方法であって、
不動の構成部材と移動される構成部材（４８）との間にバイメタル熱機械アクチュエータ（１０）を配置することを含み、該バイメタル熱機械アクチュエータ（１０）は、
複数のバイメタル構造（１２）を含む多層バイメタル構造（２２）を備え、各バイメタル構造（１２）は、結合境界面（１８）に沿って互いに結合された、一対の金属、すなわち構造金属（１４）および駆動金属（１６）を有し、金属の対は１つの層を形成しており、金属の各対の間には滑り境界面（２０）が存在し、前記多層バイメタル構造（２２）は、第１端部（２４）および第２端部（２６）と、内縁（４０）および内側半径（４２）と、外縁（４４）および外側半径（４６）と、を有する少なくとも１つの円弧を持つ形状を有しており、
前記第１端部（２４）に接続された第１ピボットヘッド（２８）と、前記多層バイメタル構造（２２）の前記第２端部（２６）に接続された第２ピボットヘッド（３４）とを備え、各ピボットヘッドは、各ピボットヘッドのほぼ中央に配置された貫通孔（３０）を有しており、
前記多層バイメタル構造（２２）は、温度の変化に伴い膨張および収縮し、
前記第１ピボットヘッド（２８）または前記第２ピボットヘッド（３４）を、前記移動される構成部材（４８）に取り付け、前記ピボットヘッドは、該ピボットヘッドの前記貫通孔（３０）を通して、前記移動される構成部材（４８）に取り付けられ、
前記バイメタル熱機械アクチュエータ（１０）を包囲する局所的温度を上昇／低下させ、前記バイメタル熱機械アクチュエータ（１０）は、温度変化の方向に基づき膨張または収縮し、前記バイメタル熱機械アクチュエータ（１０）の膨張または収縮が、１つの軸線に沿って、前記移動される構成部材（４８）を移動させ、２つの構成部材の間の間隙を閉じる
ことを含む、クリアランス距離を調節する方法。
【請求項８】
前記移動される構成部材（４８）は、ガスタービン圧縮機ベーン（５６）であり、一方のピボットヘッドは前記ガスタービン圧縮機ベーン（５６）の下部（６６）に取り付けられており、他方のピボットヘッドは前記ベーン（５６）の移動する上部（６４）に取り付けられている、請求項７に記載の方法。
【請求項９】
前記移動させられる構成部材（４８）はガスタービンベーンであり、一方のピボットヘッドはガスタービンベーンに取り付けられており、他方のピボットヘッドは前記タービンベーンの移動する上部に取り付けられている、請求項７に記載の方法。
【請求項１０】
前記不動の構成部材はガスタービンフレームであり、一方のピボットヘッドは前記ガスタービンフレームに取り付けられており、他方のピボットヘッドは前記移動される構成部材に取り付けられている、請求項７に記載の方法。
【発明の詳細な説明】
【技術分野】
【０００１】
本発明は、タービンエンジンに関し、より具体的には、タービンエンジン内のバイメタル熱機械アクチュエータに関する。
【背景技術】
【０００２】
工業用ガスタービンエンジンでは、高温圧縮ガスが生成される。高温ガス流は、タービンを通過し、膨張して、発電用の発電機を駆動するために使用される機械的仕事を生成する。タービンは、一般的に、エネルギを、高温ガス流からエンジンのロータ軸を駆動する機械的エネルギに変換するために、ステータベーンおよびロータブレードの複数の段を備えている。タービン入口温度は、材料特性と、タービン部品の冷却能力とによって制限される。
【０００３】
燃焼システムは、圧縮機から空気を受け取り、燃料と混合しかつ混合物を燃焼させることによって空気を高エネルギレベルへ上昇させ、その後、燃焼器の生成物がタービンを通じて膨張する。
【０００４】
ガスタービンは、より大型に、より効率的に、そしてより頑丈になっている。大型のブレードおよびベーンは、特にエンジンシステムの高温セクション内で製造されている。これらの構成は、ガス通路直径が増大し、ガス通路温度が上昇するに従い、ブレードがより高い頑強性を必要とするので、制約を有している。
【０００５】
タービンブレードは、例えば、ロータディスクに結合された根元部と、根元部に結合されたプラットフォームから外方へ延びる翼とから形成されている。ブレードは、通常、根元セクションとは反対側の先端と、前縁と、後縁とから成る。タービンのガス通路内で不動のケーシングと回転するブレードとの間に、間隙が形成されている。この間隙は、先端漏れ流を許容する。先端漏れ流は、タービンブレードによって生成されるトルクの大きさを減少させる。従来の燃焼器は、トランジション、ベーンおよびシールを有している。圧縮機ブレードも、間隙またはクリアランス領域を有している。これらは、クリアランスが効率に関する懸念である単なる幾つかの例である。
【０００６】
ガスタービンエンジンの全体効率は、不動の部分と可動の部分との間および２つの可動の部分の間の幾つかの重要なクリアランスの最小値に依存する。ガスタービンは、機械的および熱的変形に起因するあらゆる将来の変化を許容するように十分に大きくなるように選択された「コールド・ビルト・ジオメトリ」クリアランスを備えて製造される。これは、ジオメトリおよび最終的なクリアランスが、作動条件における使用の前に決定され、タービンエンジンの作動を通じて設定されることを意味する。機械的および熱的変形は、デューティサイクルの間に異なる方法で異なるクリアランスに影響する。その結果、あるクリアランスは、ベース負荷条件において、達成可能な最小値より大きくなり（「ホット・ランニング・ジオメトリ」）、それが、全体的なエンジン効率が低くなる理由である。あらゆる時点においてクリアランスが大きくなるほど、全体効率は低くなる。現在、クリアランスは、上述のように受動的方法で制御される。「コールド・ビルト」クリアランスは、調節する能力なしに所与の作動条件における「ホット・ランニング」クリアランスを決定する。ガスタービンエンジンアセンブリ全体にわたるクリアランスは、タービンエンジンの全体効率に影響する。
【発明の概要】
【課題を解決するための手段】
【０００７】
本発明の１つの態様では、バイメタル熱機械アクチュエータは、複数のバイメタル構造を含む多層バイメタル構造を備え、各バイメタル構造は、結合境界面に沿って互いに結合された、一対の金属、すなわち構造金属および駆動金属を有し、金属の対は１つの層を形成しており、金属の各対の間には滑り境界面が存在し、多層バイメタル構造は、多層バイメタル構造の全長の両端における第１端部および第２端部と、内縁および内側半径と、外縁および外側半径と、を有する少なくとも１つの円弧を持つ形状を有しており、第１端部に接続された第１ピボットヘッドと、多層バイメタル構造の第２端部に接続された第２ピボットヘッドとを備え、各ピボットヘッドは、各ピボットヘッドのほぼ中央に配置された貫通孔を有しており、多層バイメタル構造は、温度の変化に伴い膨張および収縮する。
【０００８】
本発明の別の態様では、クリアランス距離を調節する方法は、不動の構成部材と移動される構成部材との間にバイメタル熱機械アクチュエータを配置することを含み、バイメタル熱機械アクチュエータは、複数のバイメタル構造を含む多層バイメタル構造を備え、各バイメタル構造は、結合境界面に沿って互いに結合された、一対の金属、すなわち構造金属および駆動金属を有し、金属の対は１つの層を形成しており、金属の各対の間には滑り境界面が存在し、多層バイメタル構造は、第１端部および第２端部と、内縁および内側半径と、外縁および外側半径と、を有する少なくとも１つの円弧を持つ形状を有しており、第１端部に接続された第１ピボットヘッドと、多層バイメタル構造の第２端部に接続された第２ピボットヘッドとを備え、各ピボットヘッドは、各ピボットヘッドのほぼ中央に配置された貫通孔を有しており、多層バイメタル構造は、温度の変化に伴い膨張および収縮し、第１ピボットヘッドまたは第２ピボットヘッドを、移動される構成部材に取り付け、ピボットヘッドは、ピボットヘッドの貫通孔を通して、移動される構成部材に取り付けられ、バイメタル熱機械アクチュエータを包囲する局所的温度を上昇／低下させ、バイメタル熱機械アクチュエータは、温度変化の方向に基づき膨張または収縮し、バイメタル熱機械アクチュエータの膨張または収縮が、１つの軸線に沿って、移動される構成部材を移動させ、２つの構成部材の間の間隙を閉じることを含む。
【０００９】
本発明のこれらのおよび他の特徴、態様および利点は、以下の図面、説明および請求項を参照することによってさらによく理解されるであろう。
【００１０】
本発明は、図面の助けによりさらに詳細に示されている。図面は、好適な構成を示しており、本発明の範囲を限定しない。
【図面の簡単な説明】
【００１１】
【図１】本発明の１つの典型的な実施形態のバイメタル熱機械アクチュエータの側面図である。
【図２】本発明の１つの典型的な実施形態の異なる温度におけるバイメタル熱機械アクチュエータを単純化したワイヤフレームで示す側面図である。
【図３】本発明の１つの典型的な実施形態のバイメタル熱機械アクチュエータの斜視図である。
【図４】明瞭さのために最も内側および最も外側の層のみを共に示した本発明の１つの典型的な実施形態のバイメタル熱機械アクチュエータの側面図である。
【図５】リングセグメントキャリヤと、本発明の１つの典型的な実施形態のバイメタル熱機械アクチュエータとの斜視図である。
【図６】リングセグメントキャリヤレールと、本発明の１つの典型的な実施形態のバイメタル熱機械アクチュエータとの側面図である。
【図７】本発明の１つの典型的な実施形態におけるベーン内の複数のバイメタル熱機械アクチュエータの斜視図である。
【図８】本発明の１つの典型的な実施形態におけるバイメタル熱機械アクチュエータのためのタービンベーンラビリンスシール適用の側面図である。
【図９】本発明の１つの典型的な実施形態における加熱／冷却エレメントを備えたバイメタル熱機械アクチュエータの側面図である。
【発明を実施するための形態】
【００１２】
好適な実施形態の以下の詳細な説明では、その一部を形成する添付の図面が参照され、図面には、例として、限定としてではなく、本発明を実施可能な特定の実施形態が示されている。本発明の思想および範囲から逸脱することなく、その他の実施形態が使用されてもよく、変更がなされてもよいことが理解されるべきである。
【００１３】
広くは、本発明の一実施形態は、複数のバイメタル構造を含む多層バイメタル構造を有するバイメタル熱機械アクチュエータを提供する。各バイメタル構造は、結合境界面に沿って結合された、一対の金属、すなわち構造金属および駆動金属を有しており、金属の対は１つの層を形成している。金属の各対の間に、滑り境界面が存在する。多層バイメタル構造は、少なくとも１つの円弧を有する形状を有している。多層バイメタル構造は、第１端部および第２端部と、内縁および内側半径と、外縁および外側半径とを有している。第１ピボットヘッドは第１端部に接続されており、第２ピボットヘッドは多層バイメタル構造の第２端部に接続されている。各ピボットヘッドは、ほぼ中央に位置する貫通孔を有している。多層バイメタル構造は、温度変化と共に膨張および収縮する。
【００１４】
ガスタービンエンジンは、圧縮機セクションと、燃焼器と、タービンセクションとを備えていてもよい。圧縮機セクションは、トランジション領域、ベーンおよびシールを使用して周囲空気を圧縮する。燃焼器は、圧縮された空気を燃料と混合し、混合物に点火し、作動流体を形成する高温ガスを含む燃焼生成物を生じる。作動流体はタービンセクションへ移動する。タービンセクションには、周方向で交互に位置するベーンおよびブレードの列が設けられており、ブレードはロータに結合されている。ベーンおよびブレードの列の各対は、タービンセクション内に段を形成している。タービンセクションは、ベーン、ブレードおよびロータを収容した、固定タービンケーシングを有している。
【００１５】
ブレードによって方向転換させられないあらゆる漏れ流または空力損失は、失われた仕事抽出であり、これにより、ガスタービンエンジン効率を低下させる。懸念の１つの領域は、不動部分と可動部分との間および２つの可動部分の間の流れである。不動部分と可動部分との間のクリアランスを通過する損失流れは、段効率および動力の低下に寄与する。先端クリアランス領域を通る流れが主流と組み合わさり、２つの流れが異なる速度を有しているとき、さらなる混合損失が生じる。
【００１６】
クリアランス領域を通る流れの可能性を減じ、かつブレード通路およびベーン通路内に流れがとどまる可能性を高めるアクチュエータを提供することによって、不動部分と可動部分との間の「ホット・ランニング・ジオメトリ」クリアランスに基づく損失を低減することが望ましい。本発明の実施形態は、損失の低減を許容することができる、圧縮機およびタービンのブレードまたはベーンのためのバイメタル熱機械アクチュエータを提供する。以下に、ガスタービンエンジン内の構成部材に関連して例を説明するが、バイメタル熱機械アクチュエータは、移動を温度差によって測定することができる様々な他の用途でも使用することができる。
【００１７】
バイメタルは、シートメタルプレートまたはストリップを形成する、互いに結合された２種類の金属から成る金属構造である。２つの金属の熱膨張率（ＣＴＥ）が異なるため、ストリップが温度変化に曝されると、より小さなＣＴＥを有する金属が比較的短くなるので、ストリップは曲がる。
【００１８】
バイメタル用途は、大半が、電気回路内で作動するのに適した、小さく極めて軽量な構成のためのものであった。典型的なガスタービン環境などの巨視的機械的構造内でアクチュエータとしてバイメタルを使用するために、以下に説明するように、いくつかの新たな特徴が開発されなければならない。本発明の実施形態は、スタートから運転を通じて温度変化を有するシステムのためにクリアランスの変化を許容するための独創的な技術を提供し、これにより損失を最小化する。
【００１９】
図１〜図９を参照すると、バイメタル熱機械アクチュエータ（ＢＴＭＡ）１０が示されている。ＢＴＭＡ１０は、複数のバイメタル構造１２を有する。各バイメタル構造１２は、ストリップを形成する構造金属１４および駆動金属１６を有する。上述のように、構造金属１４および駆動金属１６は、異なるＣＴＥを有している。駆動金属１６は、ＢＴＭＡ１０の動きを強制する金属である。構造金属１４および駆動金属１６のストリップは、各バイメタル構造１２の結合境界面１８のために複数の対を成して互いに結合されている。複数のバイメタル構造１２は、多層バイメタル構造（ＭＬＢＳ）２２を形成するように、各バイメタル構造１２の間に滑り境界面２０を備えて層状に配置されている。ＭＬＢＳ２２は、各バイメタル構造１２の端部を相互に関連付ける、第１端部２４および第２端部２６を有している。
【００２０】
ＭＬＢＳ２２は、その形状に少なくとも１つの曲げまたは円弧を備えて製造されてもよい。複数のバイメタル構造１２の曲げられたまたは円弧状の形状は、各バイメタル構造１２内の構造金属１４および駆動金属１６の性質によってのみ制限される。したがって、ＭＬＢＳ２２は、さらに、外縁４４および外側半径４６と共に、内縁４０および内側半径４２を有している。アクチュエータとしての適用は、標準的なフラット／直線的なストリップまたはプレートに対して、各ストリップに対して所定の角度を必要とする。円弧状構造は、温度変化に起因して膨張および／または収縮することがある。円弧状構造のアクティブ長さの相対的膨張は、初期直線構造のものよりも著しく大きい。バイメタル構造１２の量は、適用の要求に基づいて変化することができる。例えば、要求される全体的強度、クリアランス間隙の距離、またはその他の作動特徴に依存する。
【００２１】
図１は、加えて、それぞれＭＬＢＳ２２の第１端部２４および第２端部２６に接続された第１ピボットヘッド２８および第２ピボットヘッド３４を示している。第１ピボットヘッド２８および第２ピボットヘッド３４の両方は、貫通孔３０を有している。第１ピボットヘッド２８、第２ピボットヘッド３４、または第１ピボットヘッド２８および第２ピボットヘッド３４は、次いで、移動するまたは移動される構成部材４８に取り付けられてもよい。適用の様々な例が、以下でさらに詳述される。
【００２２】
図２は、低温形状と低温アクティブ高さ、および高温形状と高温アクティブ高さを示している。図２は、説明される詳細をより明瞭に示すために、単純化したワイヤフレームで示されている。より低いＣＴＥを有する金属が外縁に示されているのに対し、より高いＣＴＥを有する金属は、バイメタル構造の内縁に示されている。図２は、この構成でのバイメタル構造１２を示しているが、他の実施形態では、より低いＣＴＥ金属と、より高いＣＴＥ金属との位置が、用途の要求に基づいて入れ替えられてもよい。一例は、サービス中に、温度が低下し、これにより、バイメタル構造１２が収縮する場合である。ＢＴＭＡ１０に第１ピボットヘッド２８および第２ピボットヘッド３４を備えることの利点は、各ピボットヘッドが取り付けられる構成部材４８が、１つの軸線に沿って鉛直方向にのみ移動してもよいということである。図２において右側の高温形状の図で分かるように、各ピボットヘッドは、ＭＬＢＳ２２が膨張すると回転することができ、これにより、移動する構成部材４８は、移動することが意図された方向にのみ移動することが許容される。第１ピボットヘッド２８および第２ピボットヘッド３４がないと、移動する構成部材４８は、直接的に取り付けられている場合、ＭＬＢＳ２２の力によって、所定の位置から外れるように回転させられることになる。
【００２３】
ある実施形態では、ＭＬＢＳ２２は、各実施形態が所望の強度に製造されることを可能にする。半径が異なると相対変位が異なる。低温状態におけるＭＬＢＳ２２の半径と、低温から高温アクティブ長さへのそれらの相対的膨張は、図２および図４に見られるように異なっている。各層またはバイメタル構造１２の厚さは、それらの相対的膨張が、増加する半径とともに減少するようにスケーリングされている。このようにして、各ピボットヘッドとＭＬＢＳ２２との間に形成される接続角度が、膨張の間に変化しないようにすることができる。こうして、ＭＬＢＳ２２と各ピボットヘッドとの間の残留応力を最小化することができる。明瞭さのために、図３は、バイメタル構造１２の最も外側の対と最も内側の対との厚さの違いを示している。図示のように、最も内側の対は、対の半径が増加するにつれて、対にわたって異なる厚さを有している。厚さの変化は、ＭＬＢＳ２２内のおよび各バイメタル構造１２の層と各ピボットヘッド２８，３４との間のひずみを最小にすることができる。ある実施形態では、複数のバイメタル構造１２がそれぞれ、ＭＬＢＳ２２内の他のバイメタル構造１２とは異なる駆動金属１６および構造金属１４を有していてもよい。
【００２４】
ガスタービンエンジン環境用のアクチュエータは、頑丈な構造を要求するある程度の強度を有しているべきである。１つのバイメタル構造の厚さの増加は、オプションではない。なぜならば、相対的変形の範囲は、厚さを増加することによって急速に減少するからである。ＢＴＭＡ１０は、あらゆる機械的要求に対してスケーリングすることができる多層バイメタル構造２２用の複数のバイメタル構造１２を備えている。
【００２５】
バイメタル熱機械アクチュエータ１０は、サービスの所望のニーズに基づいて様々なシチュエーションで使用することができる。ＢＴＭＡ１０の一部としてのＭＬＢＳ２２は、接続される構成部材４８に駆動力を提供するために十分に強いべきである。
【００２６】
複数の例がここでは挙げられるが、これは、バイメタル熱機械アクチュエータの用途の排他的リストではない。ＢＴＭＡ１０は、流れチャネルの有効領域を制御する、ガスタービンフレームおよび移動される構成部材４８に取り付けられてもよい。図５および図６は、リングセグメントキャリヤ５０内のバイメタル熱機械アクチュエータ１０を示している。タービン内のブレードの先端とリングセグメント５０との間の間隙は、タービン効率のための重要なドライバである。ブレード（図示せず）は、図示のように２つの構成部材の間のガスの流れＦと共にリングセグメント５０の下方にある。ＢＴＭＡ１０の膨張は、リングセグメント５０を下方へブレードに向かって移動させることができ、これにより、２つの構成部材４８の間の間隙を閉じる。
【００２７】
適用内に複数のバイメタル熱機械アクチュエータ１０があってもよい。これの一例は、図７に示すように圧縮機ベーン５６内のＢＴＭＡ１０であってもよい。２つのＢＴＭＡ１０が、ベーン５６の上部６４の近くに平行に位置決めされて作動することができる。この実施形態では、ベーン５６の上部６４は、下部６６にはめ込まれた別個の部分であり、鉛直方向に滑り溝６８と共に位置決めされていてもよい。上部６４は、溝６８によって鉛直方向にのみ移動することができる。下部６６および上部６４は、２つのＢＴＭＡ１０によって接続されていてもよい。ベーン５６は、ベース負荷で加熱されることがある。各ＢＴＭＡ１０は、膨張し、先端間隙を閉じることができる。シャットダウン時、ＢＴＭＡ１０は、冷却され、収縮し、ベーン５６を再びより短くして、「ピンチング」を回避することができる。プロセスは、逆転可能であってもよく、ベーン５６を通る適切な冷却流によって制御することができる。
【００２８】
図８は、バイメタル熱機械アクチュエータ１０の別の適用を示している。この適用は、バイメタル熱機械アクチュエータ１０を備えるタービンベーンラビリンスシール５４である。図示されたラビリンスシール５４の底部６０を、温度変化に伴い半径方向においてＢＴＭＡ１０によって逆向きに移動させることができる。ラビリンスシール５４の上部６２を、タービンベーン５２の底部６０に接続することができる。適切に分割されたシール５４は、ＢＴＭＡ１０によって半径方向に距離ｄだけ逆向きに底部６０を移動させることを許容する。
【００２９】
ＢＴＭＡ１０は、局所的温度によって制御されてもよく、ＢＴＭＡ１０は、あらゆる特定の位置において必要とされることがある正確な熱膨張または収縮を提供するように設計されてもよい。温度が冷却流によって決定され、冷却質量流量が、固定の横断面およびオリフィスによって決定されるような位置がある。ＢＴＭＡ１０は、冷却流温度の関数で冷却流チャネルの有効断面積を制御するために使用されてもよい。ＢＴＭＡ１０は、これらの状況において温度で駆動される弁として作動してもよい。このようにして、２レベル制御が適用されてもよい。第１に、冷却空気質量流が、ＢＴＭＡ１０を用いて制御されてもよく、次いで、結果として生じる局所的温度が、クリアランスを制御する第２のＢＴＭＡ１０を制御してもよい。このようにして、クリアランスは、デューティサイクルの間、時間の関数でより精密な制御を有していてもよい。
【００３０】
ある状況では、局所的温度が、時間の関数として範囲または温度が適切でないために、ＢＴＭＡ１０を制御するのに適していないことがある。ＢＴＭＡ１０の一実施形態は、局所的なガスまたは金属の温度とは無関係な制御温度を提供することができる加熱／冷却エレメント３２を有していてもよい。加熱／冷却エレメント３２は、加熱／冷却コイルまたは同様のものであってもよいが、それに限定されない。加熱／冷却エレメント３２は、同様に、本質において電気的であってもよい。
【００３１】
ＢＴＭＡ１０の実施形態は、作動条件に基づいてできるだけ多くかつ精度を持って変形する能力を有するように構築されている。ＢＴＭＡ１０は、一例としてのガスタービンエンジン内で、作動条件に耐えるように十分に強くなければならない。ＢＴＭＡ１０は、移動される構成部材４８を膨張によって移動させることができるように十分に強くもなければならない。多層バイメタル構造２２は、円弧によるより強い全体構造および複数のバイメタル構造１２を許容する。加えて、第１ピボットヘッド２８および第２ピボットヘッド３４を有することで、ＭＬＢＳは、移動される構成部材への固定接続の加えられた圧力なしに膨張することができる。さらに、ＭＬＢＳは、第１ピボットヘッド２８および第２ピボットヘッド３４によって、移動される構成部材４８から分離されているので、構成部材４８の変形は存在しない。なぜならば、角度づけられた移動の代わりに、各ピボットヘッド周りの回転が存在するからである。
【００３２】
多層バイメタル構造２２は、半円形、「Ｓ」字形または同様のものなどの複数の曲線を有する形状、複数の方向に曲げられた形状または同様のものなど、少なくとも１つの場所で曲げられていてもよいし円弧状にされていてもよい。多層バイメタル構造２２が、温度の変化する空間内にあるときに、バイメタル熱機械アクチュエータ１０の膨張および収縮を許容し、少なくとも一部において最初は曲げられているか円弧状にされている限り、バイメタル熱機械アクチュエータ１０は意図したように機能することができる。
【００３３】
特定の実施形態について詳細に説明してきたが、全体的な開示内容を考慮して、これらの詳細に対する様々な変更および代用を開発することができることを当業者は認識するであろう。したがって、開示された特定の配列は、例示的でしかなく、添付の請求項およびそのあらゆる全ての均等物の全範囲が与えられるべき本発明の範囲に関して制限するものではないことが意図されている。
【図１】
2019534978.tif 000003
【図２】
2019534978.tif 000004
【図３】
2019534978.tif 000005
【図４】
2019534978.tif 000006
【図５】
2019534978.tif 000007
【図６】
2019534978.tif 000008
【図７】
2019534978.tif 000009
【図８】
2019534978.tif 000010
【図９】
2019534978.tif 000011
【国際調査報告】
2019534978.tif 000012
2019534978.tif 000013
2019534978.tif 000014